(57)【特許請求の範囲】
【請求項１】
温室の柱の上部を水平に横切るトラス（１２）に配設され、モーターと駆動軸及びウォームギア減速機と従動軸（２４）を有する駆動手段（２０）と、前記駆動手段（２０）により昇降するように配設される複数の昇降手段（３０）及び前記各昇降手段（３０）に配設されて昇降する栽培ガター（４０）、（４０’）を備えてなる植物の栽培装置において、
前記昇降手段（３０）は、各従動軸（２４）に前後所定間隔で固定され、外周面に巻取溝（３１１）が螺旋状に形成された複数のドラム（３１）と、中間部分を前記ドラム（３１）の各巻取溝（３１１）の中間に数回巻き戻し、左側部分（３２ａ）は前側の左側において下向きになり、且つ、右側部分（３２ｂ）は後側の右側において下向きになるように配設するワイヤー（３２）と、前記各ドラム（３１）が固定された位置から左右等間隔で離れるように当該トラスの下面にそれぞれ上端を取り付けて垂直に配設される左右支持台（３３）、（３３’）と、前記左右支持台の下端部である「П」状を呈する各軸受け部（３３１）に前後方向に貫通するように固設される案内軸（３３２）にそれぞれ結合されて前記軸受け部（３３１）の前片と後片の間隔内で前後に移動しながらワイヤー（３２）の下向きになる左右側部分（３２ａ）、（３２ｂ）をドラム（３１）の下方の左右においてそれぞれ懸架する左右側の案内プーリー（３４）、（３４’）と、を備えてなり、
前記栽培ガター（４０）は、ワイヤー（３２）の左側部分（３２ａ）の下端に結束して配設し、栽培ガター（４０’）は、ワイヤー（３２’）の右側部分（３２ｂ）の下端に結束して配設してなることを特徴とする植物の栽培装置。
【発明の詳細な説明】
【技術分野】
【０００１】
本発明は、植物の栽培装置に係り、さらに詳しくは、温室面積の全体を植物が栽培可能な空間として用いることにより、量産が可能になる植物の栽培装置に関する。
【背景技術】
【０００２】
従来には、温室において土壌栽培や水耕栽培などを行うとき、播種や栽培管理または収穫をする作業者の通路として少なくとも温室面積の約半分を用いる必要があったため、栽培面積が半減され、これに伴い、生産量が大幅に減って、生産コストはもとより、消費物価の上昇が招かれ、その結果、生産者及び消費者の費用負担が増えてしまうなどの問題があった。
【０００３】
この理由から、本願出願人は、このような問題を解消するために、温室の上部を水平に横切るトラスに固設されるモーターと、前記モーターにより回転可能なように配設される駆動軸及び前記駆動軸と噛合するように水平に配設されるウォームギア減速機を有する駆動手段と、トラスの所定の位置に固設される複数のローラーハンガーと、前記ローラーハンガーの各下部に軸配設される上下ローラーと、前記上下ローラーの間を水平に貫通するように支持されて配設され、ウォームギア減速機の左端を右端に嵌着する左側移動パイプ及び前記上下ローラーの間を水平に貫通するように支持されて配設され、ウォームギア減速機の右端を左端に嵌着する右側移動パイプを有する移動部材と、前記左右側移動パイプが上側を通過するようにトラスに所定の間隔で固設される複数のハンガーと、前記ハンガーの各下端に軸配設されるスプロケットやプーリー及び前記ハンガーのうち隣り合う２つのハンガーを１組にして各組２つのハンガーの中間に相当する部分を左側または右側移動パイプに結束して固定し、結束して固定した部分を基準として下端に栽培ガターを付設する左側部分は左側位置ハンガーのスプロケットやプーリーの左側を経て下向きになるように懸架し、下端に栽培ガターを付設する右側部分は右側位置ハンガーのスプロケットやプーリーの右側を経て下向きになるように懸架する昇降チェーンやワイヤーを有する昇降部材と、を備えてなり、平常時には複数の栽培ガターがいずれも地面から所定の高さに位置するように所定の間隔で水平を維持するようにぶら下がっていて、播種や栽培管理または収穫をするために作業者の移動が必要になるときには、駆動手段を稼働して昇降部材を左側や右側に移動させると、複数の昇降部材が交互に一つは上昇し、次の一つは下降して、各昇降部材にぶら下がるように付設された複数の栽培ガターが一つずつ交互に上昇及び下降をするため、下降した栽培ガターの間には上昇した栽培ガターにより作業者が移動可能な通路が生成されることにより、温室の面積の全てが栽培面積として使用可能になって生産量が倍加される植物の大量栽培装置（特許文献１）を提案した。
【０００４】
しかしながら、このような先登録の植物の大量栽培装置は、左右の栽培ガターを交互に上昇及び下降させて、上昇した栽培ガターにより作業者が移動可能な通路を生成するために、複数のプーリーハンガーと左右側移動パイプ及びスプロケットやプーリーと昇降チェーンやワイヤーを用いるため、その構造が複雑であり、設置及びメンテナンスを行うことが非常に困難且つ煩雑であるという問題があるだけではく、昇降チェーンやワイヤーを複数のハンガーの各下端に軸配設されるスプロケットやプーリー及び前記ハンガーのうち隣り合う２つのハンガーを１組にして各組２つのハンガーの中間に相当する部分を左側または右側移動パイプに結束して固定し、結束して固定した部分を基準として下端に栽培ガターを付設する左側部分は左側位置ハンガーのスプロケットやプーリーの左側を経て下向きになるように懸架し、下端に栽培ガターを付設する右側部分は右側位置ハンガーのスプロケットやプーリーの右側を経て下向きになるように懸架するため、長尺な昇降チェーンやワイヤーを用いることを余儀なくされ、その結果、ガターの荷重による長さの変形などにより寿命の短縮が招かれてしまうという問題があった。
【先行技術文献】
【特許文献】
【０００５】
【特許文献１】韓国登録特許第１０−１２５１９０３号公報
【発明の概要】
【発明が解決しようとする課題】
【０００６】
本発明はこのような事情に鑑みてなされたものであり、その目的は、設置及びメンテナンスを行い易く、関連コストの負担が大幅に減るとともに、寿命の短縮を招かないことから長期に亘って使用可能な植物の栽培装置を提供することである。
【課題を解決するための手段】
【０００７】
本発明は、このような目的を達成するために、温室の上部を水平に横切るトラスに配設され、モーターと、駆動軸と、複数の従動軸及びウォームギア減速機を有する駆動手段と、前記駆動手段により昇降するように配設され、従動軸に前後所定間隔で固定され、外周面に巻取溝が螺旋状に形成された複数のドラムと、中間部分を巻取溝の中間に数回巻き戻し、左側部分は前側の左側において下向きになり、且つ、右側部分は後側の右側において下向きになるように配設するワイヤーと、前記ドラムが固定された位置から左右等間隔で離れるように当該トラスの下面にそれぞれ上端を取り付けて垂直に配設される左右支持台及びドラムよりも下方の左右に位置するように支持台の下端部に軸配設されてワイヤーの下向きになる左右側部分をそれぞれ懸架する左右側の案内プーリーを有する昇降手段と、前記ワイヤーの左右側部分にそれぞれ結束して配設して昇降する栽培ガターと、を備えてなり、平常時には複数の栽培ガターがいずれも地面から所定の高さに位置するように所定の間隔で水平を維持するようにぶら下がっていて、播種や栽培管理または収穫をするために作業者の移動が必要になるときには、駆動手段を稼働して昇降手段が複数の栽培ガターを一つずつ交互に上昇及び下降させて、下降した栽培ガターの間には上昇した栽培ガターにより作業者が移動可能な通路が生成されることにより、温室の面積の全てが栽培面積として使用可能になって生産量が倍加される植物の栽培装置を提供する。
【発明の効果】
【０００８】
このような本発明の実施形態による植物の栽培装置は、温室の面積を全て栽培面積として用いるところに特徴があり、設置及びメンテナンスを行い易く、関連コストの負担が大幅に減るとともに、寿命の短縮を招かないことから長期に亘って使用可能になるなどの効果が得られる。
【図面の簡単な説明】
【０００９】
【図１】本発明の第１の実施形態による植物の栽培装置が配設された温室の一部を概略的に示す正面図である。
【図２】図１の植物の栽培装置を概略的に示す側面図である。
【図３】図１の植物の栽培装置を概略的に示す平面図である。
【図４】図１の一部を抜粋して拡大して示す正面図である。
【図５ａ】図４に示す一つの昇降手段を抜粋して拡大して示す正面図である。
【図５ｂ】図４に示す一つの昇降手段を抜粋して拡大して示す平面図である。
【図５ｃ】図４に示す一つの昇降手段を抜粋して拡大して示す側面図である。
【図６】図１に示す一つの昇降手段及びウォームギア減速機を抜粋して拡大して示す図である。
【図７】本発明の第２の実施形態による植物の栽培装置が配設された温室の一部を概略的に示す正面図である。
【図８】図７の植物の栽培装置を概略的に示す側面図である。
【図９】図７の植物の栽培装置を概略的に示す平面図である。
【図１０】図７の一部を抜粋して拡大して示す正面図である。
【図１１】図８に示す駆動及び一つの昇降手段を抜粋して拡大して示す平面図である。
【図１２】図１１の駆動及び昇降手段の側面図である。
【図１３】本発明の第３の実施形態による植物の栽培装置の一部を抜粋して拡大して示す正面図である。
【図１４ａ】図１３に示す一つの昇降手段を抜粋して拡大して示す正面図である。
【図１４ｂ】図１３に示す一つの昇降手段を抜粋して拡大して示す平面図である。
【図１５ａ】図１４ａ及び図１４ｂに示す昇降手段の作動状態を示す側面図である。
【図１５ｂ】図１４ａ及び図１４ｂに示す昇降手段の作動状態を示す側面図である。
【図１５ｃ】図１４ａ及び図１４ｂに示す昇降手段の作動状態を示す側面図である。
【図１６】本発明の第４の実施形態による植物の栽培装置が配設された温室の一部を概略的に示す側面図である。
【図１７】図１６の植物の栽培装置を概略的に示す平面図である。
【図１８】図１７の一部を抜粋して拡大して示す正面図である。
【図１９ａ】図１８に示す一つの昇降手段を抜粋して拡大して示す正面図である。
【図１９ｂ】図１８に示す一つの昇降手段を抜粋して拡大して示す平面図である。
【図１９ｃ】図１８に示す一つの昇降手段を抜粋して拡大して示す側面図である。
【図２０】図１６に示す一つの昇降手段及びウォームギア減速機を抜粋して拡大して示す側面図である。
【図２１】本発明の第５の実施形態による植物の栽培装置が配設された温室の一部を概略的に示す側面図である。
【図２２】図２１の植物の栽培装置を概略的に示す平面図である。
【図２３】図２２の一部を抜粋して拡大して示す正面図である。
【図２４】図２１に示す一つの駆動及び昇降手段を抜粋して拡大して示す平面図である。
【図２５】図２４の駆動及び昇降手段の側面図である。
【図２６】図２４に示す昇降手段を抜粋して拡大して示す正面図である。
【発明を実施するための形態】
【００１０】
以下、添付図面に基づき、本発明の実施形態による植物の栽培装置について詳細に説明する。
【００１１】
図１は、本発明の第１の実施形態による植物の栽培装置が配設された温室の一部を概略的に示す正面図であり、図２は、図１の植物の栽培装置を概略的に示す側面図であり、図３は、図１の植物の栽培装置を概略的に示す平面図であり、図４は、図１の一部を抜粋して拡大して示す正面図であり、図５ａ〜図５ｃは、図４に示す昇降手段を抜粋して拡大して示す正面図と、平面図及び側面図であり、図６は、図１に示す昇降手段及びウォームギア減速機を抜粋して拡大して示す側面図である。
【００１２】
図１から図６の本発明の第１の実施形態による植物の栽培装置は、一般的に汎用されている屋根構造をそのまま適用する温室の柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００１３】
駆動手段２０は、モーター２１と駆動軸２２及びウォームギア減速機２３と従動軸２４を備えてなる。
【００１４】
駆動軸２２は、温室１０の内部の上側を左右に横切るようにトラス１２の下側に配設されてモーター２１により回転され、ウォームギア減速機２３は、前記駆動軸と直交するようにトラスの下側に左右所定間隔で前後を横切るように軸受け１３により設けられる複数の従動軸２４が互いに直交する個所にそれぞれ配設されて前記駆動軸の回転力を減速して伝達して従動軸を同時に回転させる。
【００１５】
ウォームギア減速機２３は、駆動軸２２と従動軸２４が互いに直交する個所にそれぞれ噛合するように固定されるウォームギア２３１、２３２と、前記ウォームギアが取り外されないように緊合するケース２３３と、を備えてなる。
【００１６】
このため、駆動軸２２及び従動軸２４は、各直交個所がウォームギア２３１とともにウォームギア減速機２３のケース２３２により取り囲まれるように緊合されるため、モーター２１及び前記駆動軸は従動軸とともに軸受け１３によりトラス１２に安定的に配設される。
【００１７】
昇降手段３０は、各従動軸２４に前後所定間隔で固定され、外周面に巻取溝３１１が螺旋状に形成された複数のドラム３１と、中間部分を前記ドラムの各巻取溝の中間に数回巻き戻し、左側部分３２ａは、前側の左側において下向きになり、且つ、右側部分３２ｂは、後側の右側において下向きになるように配設する所定の長さのワイヤー３２と、前記各ドラムが固定された位置から左右等間隔で離れるように当該トラス１２の下面にそれぞれ上端を取り付けて垂直に配設される左右支持台３３、３３’と、前記ドラムよりも下方の左右に位置するように支持台の各下端部に軸配設されてワイヤーの下向きになる左右側部分をそれぞれ懸架する左右側の案内プーリー３４、３４’と、を備えてなる。
【００１８】
また、各ワイヤー３２の左側部分３２ａの下端は、左側に配設される栽培ガター４０に結束し、右側部分３２ｂの下端は、右側に配設される栽培ガター４０’に結束する。
【００１９】
このような構成を有する本発明による植物の栽培装置は、温室の面積の全てを栽培面積として用いるように設置するものであり、平常時には、左右の栽培ガター４０、４０’を同じ高さに水平に位置させて、全ての植物に日光を均一に当てる。
【００２０】
このような状態で、播種や栽培管理または収穫などのための作業者の移動通路が必要になるときには、モーター２１を正駆動させてその回転力が駆動軸２２及びウォームギア減速機２３を経て従動軸２４に伝達されてドラム３１を正回転させると、ワイヤー３２の左側部分３２ａが巻取溝３１１に巻き戻されて下端が結束された左側の栽培ガター４０は上昇するのに対し、前記ワイヤーの右側部分２３ｂは繰り出されるため右側の栽培ガター４０’は下降する。
【００２１】
このようになると、それぞれの上昇する栽培ガター４０と下降する栽培ガター４０’との間には、作業者が移動可能な通路が生成される。
【００２２】
このとき、それぞれの栽培ガター４０が上昇する高さは、作業者が立って移動するのに差し支えがないほどになり、下降するそれぞれの栽培ガター４０’の高さは、作業者が楽な姿勢で播種や栽培管理または収穫などが行えるほどに調節すればよい。
【００２３】
また、播種や栽培管理または収穫などを終えた後に、作業者が温室から出た後にモーター２１を逆駆動してドラム３１を逆回転させると、各ワイヤー３２の左側部分３２ａは前記ドラムから繰り出されるのに対し、右側部分３２ｂは巻き戻されるため、左側の栽培ガター４０は下降し、右側の栽培ガター４０’は上昇する。
【００２４】
このようにして、左右の栽培ガター４０、４０’の高さが等しい水平状態になると、モーター２１の駆動を止めることにより、全ての植物に日光が均一に当たって生長する。
【００２５】
図７は、本発明の第２の実施形態による植物の栽培装置が配設された温室の一部を概略的に示す正面図であり、図８は、図７の植物の栽培装置を概略的に示す側面図であり、図９は、図７の植物の栽培装置を概略的に示す平面図であり、図１０は、図７の一部を抜粋して拡大して示す正面図であり、図１１は、図８に示す駆動及び昇降手段を抜粋して拡大して示す平面図であり、図１２は、図１１の駆動及び昇降手段の側面図である。
【００２６】
図７から図１２の本発明の第２の実施形態による植物の栽培装置は、前記第１の実施形態でのように、一般に汎用されている屋根構造をそのまま適用する温室１０の柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００２７】
駆動手段２０は、モーター２１と、駆動軸２２及び前記モーターに付設されて駆動力を変速させて駆動軸に伝達する変速機２１１を備えてなる。
【００２８】
駆動軸２２は、温室１０の内部の上側を前後に横切るようにトラス１２の下側に左右所定間隔でそれぞれ軸受け１３により設けられ、モーター２１は、前記駆動軸を正逆転させるように駆動軸ごとにそれぞれ配設される。
【００２９】
昇降手段３０は、各駆動軸２２に前後所定間隔で固定され、外周面に巻取溝３１１が螺旋状に形成された複数のドラム３１と、中間部分を前記ドラムの各巻取溝の中間に数回巻き戻し、左側部分３２ａは、前側の左側において下向きになり、且つ、右側部分３２ｂは、後側の右側において下向きになるように配設する所定の長さのワイヤー３２と、前記各ドラムが固定された位置から左右等間隔で離れるように当該トラス１２の下面にそれぞれ上端を取り付けて垂直に配設される左右支持台３３、３３’と、前記ドラムよりも下方の左右に位置するように支持台の各下端部に軸配設されてワイヤーの下向きになる左右側部分をそれぞれ懸架する左右側の案内プーリー３４、３４’と、を備えてなる。
【００３０】
また、各ワイヤー３２の左側部分３２ａの下端は、左側に配設される栽培ガター４０に結束し、ワイヤー３２’の右側部分３２ｂの下端は、右側に配設される栽培ガター４０’に結束する。
【００３１】
このような構成を有する本発明の第２の実施形態による植物の栽培装置は、温室の面積の全てを栽培面積として用いるように設置するものであり、平常時には、左右の栽培ガター４０、４０’を同じ高さに水平に位置させて、全ての植物に日光を均一に当てる。
【００３２】
このような状態で、播種や栽培管理または収穫などのための作業者の移動通路が必要になるときには、モーター２１を正駆動させてその回転力が駆動軸２２と変速機２１１を経て従動軸２４に伝達されてドラム３１を正回転させると、ワイヤー３２の左側部分３２ａが巻取溝３１１に巻き戻されて下端が結束された左側の栽培ガター４０は上昇するのに対し、前記ワイヤーの右側部分２３ｂは繰り出されるため右側の栽培ガター４０’は下降する。
【００３３】
このようになると、それぞれの上昇する栽培ガター４０と下降する栽培ガター４０’との間には、作業者が移動可能な通路が生成される。
【００３４】
このとき、それぞれの栽培ガター４０が上昇する高さは、作業者が立って移動するのに差し支えがないほどになり、下降するそれぞれの栽培ガター４０’の高さは、作業者が楽な姿勢で播種や栽培管理または収穫などが行えるほどに調節すればよい。
【００３５】
また、播種や栽培管理または収穫などを終えた後に、作業者が温室から出た後にモーター２１を逆駆動してドラム３１を逆回転させると、各ワイヤー３２の左側部分３２ａは前記ドラムから繰り出されるのに対し、右側部分３２ｂは巻き戻されるため、左側の栽培ガター４０は下降し、右側の栽培ガター４０’は上昇する。
【００３６】
このようにして、左右の栽培ガター４０、４０’の高さが等しい水平状態になると、モーター２１の駆動を止めることにより、全ての植物に日光が均一に当たって生長する。
【００３７】
図１３は、本発明の第３の実施形態による植物の栽培装置の一部を抜粋して拡大して示す正面図であり、図１４ａ及び図１４ｂは、図１３に示す一つの昇降手段を抜粋して拡大して示す正面図及び平面図であり、図１５ａ〜図１５ｃは、図１４ａ及び図１４ｂに示す昇降手段の作動状態を示す側面図である。
【００３８】
図１３から図１５ａ、図１５ｂの本発明の第３の実施形態による植物の栽培装置は、前記第１の実施形態でのように、一般に汎用されている屋根構造をそのまま適用する温室の柱の上部を水平に横切るトラス１２に配設され、モーターと駆動軸及びウォームギア減速機と従動軸２４を有する駆動手段２０と、前記駆動手段により昇降するように配設される複数の昇降手段３０及び前記昇降手段の各左右にそれぞれぶら下がるように付設される栽培ガター４０、４０’を備えてなる。
【００３９】
駆動手段２０の駆動軸は、温室の内部の上側を左右に横切るようにトラス１２の下側に配設されてモーターにより回転され、ウォームギア減速機は、前記駆動軸と直交するようにトラスの下側に左右所定間隔で前後を横切るように軸受け１３により設けられる複数の従動軸２４が互いに直交する個所にそれぞれ配設されて前記駆動軸の回転力を減速して伝達して従動軸を同時に回転させる。
【００４０】
0006347275.tif 000002
【００４１】
このように左右側の案内プーリー３４、３４’を案内軸３３２にそれぞれ結合して各軸受け部３３１の前後片間の間隔内で前後移動するように配設することは、後述するように、ドラム３１が正回転するときには、ワイヤー３２の左側部分３２ａが前記ドラムの前側に巻き戻しながら上昇するのに対し、右側部分３２ｂは前記ドラムの後側から繰り出されながら下降するため、巻き戻される位置と繰り出される位置は、ドラムの前後において同様に前方に移動するが、このとき、各左右側の案内プーリーに懸架されて上昇及び下降するワイヤーの左側部分及び右側部分によりそれぞれ前方に押されて案内軸から前方に移動することにより、ワイヤーの左右側部分は常に左右側の案内プーリーに安定的に懸架されて上昇及び下降することになる。
【００４２】
このような各ワイヤー３２の左側部分３２ａの下端は、左側に配設される栽培ガター４０に結束し、右側部分３２ｂの下端は、右側に配設される栽培ガター４０’に結束する。
【００４３】
このような構成を有する本発明による植物の栽培装置は、温室の面積の全てを栽培面積として用いるように設置するものであり、平常時には、左右の栽培ガター４０、４０’を同じ高さに水平に位置させて、全ての植物に日光を均一に当てる。
【００４４】
このような状態で、播種や栽培管理または収穫などのための作業者の移動通路が必要になるときには、駆動手段２０のモーターを正駆動させてその回転力が駆動軸及びウォームギア減速機を経て従動軸２４に伝達されてドラム３１を正回転させると、ワイヤー３２の左側部分３２ａが巻取溝３１１に巻き戻されて下端が結束された左側の栽培ガター４０は上昇するのに対し、前記ワイヤーの右側部分２３ｂは繰り出されるため右側の栽培ガター４０’は下降する。
【００４５】
このようになると、それぞれの上昇する栽培ガター４０と下降する栽培ガター４０’との間には、作業者が移動可能な通路が生成される。
【００４６】
このとき、それぞれの栽培ガター４０が上昇する高さは、作業者が立って移動するのに差し支えがないほどになり、下降するそれぞれの栽培ガター４０’の高さは、作業者が楽な姿勢で播種や栽培管理または収穫などが行えるほどに調節すればよい。
【００４７】
また、播種や栽培管理または収穫などを終えた後に、作業者が温室から出た後にモーター２１を逆駆動してドラム３１を逆回転させると、各ワイヤー３２の左側部分３２ａは前記ドラムから繰り出されるのに対し、右側部分３２ｂは巻き戻されるため、左側の栽培ガター４０は下降し、右側の栽培ガター４０’は上昇する。
【００４８】
このようにして、左右の栽培ガター４０、４０’の高さが等しい水平状態になると、モーター２１の駆動を止めることにより、全ての植物に日光が均一に当たって生長する。
【００４９】
図１６は、本発明の第４の実施形態による植物の栽培装置が配設された温室の一部を概略的に示す側面図であり、図１７は、図１６の植物の栽培装置を概略的に示す平面図であり、図１８は、図１７の一部を抜粋して拡大して示す正面図であり、図１９ａ〜図１９ｃは、図１８に示す一つの昇降手段を抜粋して拡大して示す正面図と、平面図及び側面図であり、図２０は、図１６に示す一つの昇降手段及びウォームギア減速機を抜粋して拡大して示す側面図である。
【００５０】
図１６から図２０の本発明の第４の実施形態による植物の栽培装置は、前記第１の実施形態でのように、一般的に汎用されている屋根構造をそのまま適用する温室の柱の上部を水平に横切るトラス１２に配設され、モーターと駆動軸及びウォームギア減速機と従動軸２４を有する駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００５１】
また、駆動手段２０が、モーター２１と、温室１０の内部の上側を左右に横切るようにトラス１２の下側に配設されてモーター２１により回転される駆動軸２２と、前記駆動軸と直交するようにトラスの下側に左右所定間隔で前後を横切るように軸受け１３により設けられる複数の従動軸２４と、前記駆動軸と複数の従動軸が互いに直交する個所にそれぞれ配設されて駆動軸の回転力を減速して伝達して従動軸を同時に回転させるウォームギア減速機２３と、を備えてなることも前記第１の実施形態と同様である。
【００５２】
昇降手段３０は、各従動軸２４に前後所定間隔で固定される複数のメインスプロケット３１’と、中間部分を前記メインスプロケットにそれぞれ懸架し、左側部分３２ａは、前記メインスプロケットの各左側において下向きになり、且つ、右側部分３２ｂは、各右側において下向きになるように配設する所定の長さのチェーン３２’と、前記各メインスプロケットが固定された位置から左右等間隔で離れるように当該トラス１２の下面にそれぞれ上端を取り付けて垂直に配設される左右支持台３３、３３’と、前記メインスプロケットよりも下方の左右に位置するように支持台の各下端部に軸配設されてチェーンの下向きになる左右側部分をそれぞれ懸架する左右側の案内スプロケット３４ａ、３４ｂと、を備えてなる。
【００５３】
また、チェーン３２’の左側部分３２ａの下端は、左側に配設される栽培ガター４０に結束し、右側部分３２ｂの下端は、右側に配設される栽培ガター４０’に結束する。
【００５４】
このような構成を有する本発明の第４の実施形態による植物の栽培装置は、温室の面積の全てを栽培面積として用いるように設置するものであり、平常時には、左右の栽培ガター４０、４０’を同じ高さに水平に位置させて、全ての植物に日光を均一に当てる。
【００５５】
このような状態で、播種や栽培管理または収穫などのための作業者の移動通路が必要になるときには、モーター２１を正駆動させてその回転力が駆動軸２２及びウォームギア減速機２３を経て従動軸２４に伝達されてメインスプロケット３１’を正回転させると、その回転方向に応じて、各チェーン３２’の左側部分３２ａは前記メインスプロケットに巻き戻されながら上昇するため、下端が結束された左側の栽培ガター４０は上昇するのに対し、前記各チェーンの右側部分２３ｂは繰り出されながら下降して右側の栽培ガター４０’は下降することになる。
【００５６】
このようになると、それぞれ上昇する栽培ガター４０と下降する栽培ガター４０’との間には、作業者が移動可能な通路が生成される。
【００５７】
また、播種や栽培管理または収穫などを終えた後に、作業者が温室から出た後にモーター２１を逆駆動してメインスプロケット３１’を逆回転させると、各チェーン３２’の左側部分３２ａは前記メインスプロケットから繰り出されながら下降するのに対し、右側部分３２ｂは懸架されながら上昇することになり、左側の栽培ガター４０は下降し、右側の栽培ガター４０’は上昇するため、前記左右の栽培ガター４０、４０’の高さが等しい水平状態になると、モーター２１の駆動を止めることにより、全ての植物に日光が均一に当たって生長する。
【００５８】
図２１は、本発明の第５の実施形態による植物の栽培装置が配設された温室の一部を概略的に示す側面図であり、図２２は、図２１の植物の栽培装置を概略的に示す平面図であり、図２３は、図２２の一部を抜粋して拡大して示す正面図であり、図２４は、図２１に示す一つの駆動及び昇降手段を抜粋して拡大して示す平面図であり、図２５は、図２４の駆動及び昇降手段の側面図であり、図２６は、図２４に示す昇降手段を抜粋して拡大して示す正面図である。
【００５９】
図２１から図２６の本発明の第５の実施形態による植物の栽培装置は、前記第１の実施形態でのように、一般に汎用されている屋根構造をそのまま適用する温室１０の柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００６０】
駆動手段２０は、モーター２１と、駆動軸２２及び前記モーターに付設されて駆動力を変速させて駆動軸に伝達する変速機２１１を備えてなる。
【００６１】
駆動軸２２は、温室１０の内部の上側を前後に横切るようにトラス１２の下側に左右所定間隔でそれぞれ軸受け１３により設けられ、モーター２１は、前記駆動軸を正逆転させるように駆動軸ごとにそれぞれ配設される。
【００６２】
昇降手段３０は、各従動軸２４に前後所定間隔で固定される複数のメインスプロケット３１’と、中間部分を前記メインスプロケットにそれぞれ懸架し、左側部分３２ａは、前記メインスプロケットの各左側において下向きになり、且つ、右側部分３２ｂは、右側において下向きになるように配設する所定の長さのチェーン３２’と、前記各メインスプロケットが固定された位置から左右等間隔で離れるように当該トラス１２の下面にそれぞれ上端を取り付けて垂直に配設される左右支持台３３、３３’と、前記メインスプロケットよりも下方の左右に位置するように支持台の各下端部に軸配設されてチェーンの下向きになる左右側部分をそれぞれ懸架する左右側の案内スプロケット３４ａ、３４ｂと、を備えてなる。
【００６３】
また、各チェーン３２’の左側部分３２ａの下端は、左側に配設される栽培ガター４０に結束し、前記チェーンの右側部分３２ｂの下端は、右側に配設される栽培ガター４０’に結束する。
【００６４】
このような構成を有する本発明の第５の実施形態による植物の栽培装置は、温室の面積の全てを栽培面積として用いるように設置するものであり、平常時には、左右の栽培ガター４０、４０’を同じ高さに水平に位置させて、全ての植物に日光を均一に当てる。
【００６５】
このような状態で、播種や栽培管理または収穫などのための作業者の移動通路が必要になるときには、モーター２１を正駆動させてその回転力が変速機２１１により変速されて駆動軸２２に伝達されてメインスプロケット３１’を正回転させると、チェーン３２’の左側部分３２ａが前記メインスプロケットに懸架されながら上昇することになり、下端が結束された左側の栽培ガター４０は上昇するのに対し、前記チェーンの右側部分２３ｂは繰り出されながら下降して右側の栽培ガター４０’は下降することになる。
【００６６】
このようになると、それぞれの上昇する栽培ガター４０と下降する栽培ガター４０’との間には、作業者が移動可能な通路が生成される。
【００６７】
このとき、それぞれの栽培ガター４０が上昇する高さは、作業者が立って移動するのに差し支えがないほどになり、下降するそれぞれの栽培ガター４０’の高さは、作業者が楽な姿勢で播種や栽培管理または収穫などが行えるほどに調節すればよい。
【００６８】
また、播種や栽培管理または収穫などを終えた後に、作業者が温室から出た後にモーター２１を逆駆動してメインスプロケット３１’を逆回転させると、各チェーン３２’の左側部分３２ａは前記メインスプロケットから繰り出されながら下降するのに対し、右側部分３２ｂは懸架されながら上昇するため、左側の栽培ガター４０は下降し、右側の栽培ガター４０’は上昇することになる。
【００６９】
このようにして、左右の栽培ガター４０、４０’の高さが等しい水平状態になると、モーター２１の駆動を止めることにより、全ての植物に日光が均一に当たって生長する。
【００７０】
このようにして作動する本発明第１乃至第５の実施形態による植物の栽培装置は、その構造が非常に簡単であり、設置及びメンテナンスを行い易く、関連コストの負担が大幅に減るとともに、寿命の短縮を招かないことから長期に亘って使用可能になり、しかも、温室の面積の全てが植物の栽培面積として使用可能になることから収穫量が倍加されるという特徴を有する。
【符号の説明】
【００７１】
１０：温室
２０：駆動手段
２１：モーター
２２：駆動軸
２３：ウォームギア減速機
３０：昇降手段
３１：ドラム
３１’：メインスプロケット
３２：ワイヤー
３２’：チェーン
３３、３３’：支持台
３４、３４’：左右側の案内プーリー
３４ａ、３４ｂ：案内スプロケット
４０、４０’：栽培ガター
３３２：案内軸
【図１】
0006347275.tif 000003
【図２】
0006347275.tif 000004
【図３】
0006347275.tif 000005
【図４】
0006347275.tif 000006
【図５ａ】
0006347275.tif 000007
【図５ｂ】
0006347275.tif 000008
【図５ｃ】
0006347275.tif 000009
【図６】
0006347275.tif 000010
【図７】
0006347275.tif 000011
【図８】
0006347275.tif 000012
【図９】
0006347275.tif 000013
【図１０】
0006347275.tif 000014
【図１１】
0006347275.tif 000015
【図１２】
0006347275.tif 000016
【図１３】
0006347275.tif 000017
【図１４ａ】
0006347275.tif 000018
【図１４ｂ】
0006347275.tif 000019
【図１５ａ】
0006347275.tif 000020
【図１５ｂ】
0006347275.tif 000021
【図１５ｃ】
0006347275.tif 000022
【図１６】
0006347275.tif 000023
【図１７】
0006347275.tif 000024
【図１８】
0006347275.tif 000025
【図１９ａ】
0006347275.tif 000026
【図１９ｂ】
0006347275.tif 000027
【図１９ｃ】
0006347275.tif 000028
【図２０】
0006347275.tif 000029
【図２１】
0006347275.tif 000030
【図２２】
0006347275.tif 000031
【図２３】
0006347275.tif 000032
【図２４】
0006347275.tif 000033
【図２５】
0006347275.tif 000034
【図２６】
0006347275.tif 000035